(57)【要約】【課題】飼い犬の糞便の回収において衛生的に、しかも不快感を軽減した回収装置を提供すること。また回収した飼い犬の糞便を衛生的に、しかも悪臭などを発生させずに廃棄処分するための装置を提供すること。【解決手段】筒型容器の上部には蓋を有し、この蓋を外し、取っ手部を筒型容器の内部に押し込むことにより、容器内部の粘着剤、殺菌剤、消臭剤、芳香剤、乾燥剤、固形剤などを付着あるいは染み込ませた繊維紐、紙紐、紙片、合成樹脂紐などが押し出されることとなる。但し、これらの繊維紐、紙紐などは筒型容器の底部内側に接着されているものとし、これによりモップ型あるいは筒型などの形状を形成するとともに、糞便などを覆い、包み込んだ後に、筒型容器に引き戻すことができるものとする。そして引き戻した後には、再び蓋をすることにより衛生的な廃棄処分ができ、また悪臭が漏れることを防止する機能を有するものとする。【選択図】図２
0003136028.tif 000002
【実用新案登録請求の範囲】
【請求項１】
棒状の取っ手部と、この取っ手部と繋げることができ内部に粘着剤、殺菌剤、消臭剤、芳香剤、乾燥剤、固形剤などを付着あるいは染み込ませた繊維紐、紙紐、紙片、合成樹脂紐などを備えた筒型容器により構成されたことを特徴とする犬などの糞便および尿回収装置
【請求項２】
請求項１に記載の筒型容器は、犬の糞などの回収後は使い捨てるものであり、つまり棒状の取っ手部と容易に着脱が可能なものとしたことを特徴とする犬などの糞便および尿回収装置
【請求項３】
請求項１に記載の筒型容器は、取っ手部との着装後に取っ手部の押し圧力により容器の蓋が外れるとともに、筒型容器の底部が押し込まれ、容器内部の繊維紐、紙紐、紙片、合成樹脂紐などが容器から押し出され、あたかもモップ型あるいは筒型などの形状となることを特徴とし、また糞便などをモップ型あるいは筒型の形状を形成する繊維紐、紙紐、紙片、合成樹脂紐などで覆った後に、取っ手部を引く圧力を加えることにより、筒型容器の底部が引き戻され、筒型容器の内部に回収することを特徴とする犬などの糞便および尿回収装置
【請求項４】
請求項１に記載の筒型容器は、飼い犬が小型犬の場合には直径約５ｃｍの筒型とし、中型犬の場合には直径約７−８ｃｍの筒型とし、大型犬の場合には１０−１２ｃｍの筒型とすることにより、簡便かつ確実に糞便を回収することを特徴とする犬などの糞および尿回収装置
【請求項５】
飼い犬の尿についても筒型容器の内部から押し出されたモップ型あるいは筒型などの形状を形成する繊維紐、紙紐、紙片、合成樹脂紐などでふき取ることのできる機構を有することを特徴とする犬などの糞および尿回収装置。
【考案の詳細な説明】
【技術分野】
【０００１】本考案は、飼い犬などの糞便および尿の回収および廃棄処分器具に関する。
【背景技術】
【０００２】飼い犬の散歩時における糞便の処理は、紙でつまみ、スーパーのポリ袋にて回収するのが一般的であり、飼い犬とはいえ不潔感および不快感の伴うものである。【０００３】この不潔感および不快感の軽減のため、多くの特許出願および実用新案登録などがなされている。例えば、ちりとりのごときもの、虫取り網のごときもの、など様々である。しかしながら、いずれも散歩時の持参用具としては荷物になったり、回収には簡便であっても、廃棄処分においては不潔感の伴うものであったり、多くの短所があるものとなっている。
【考案の開示】
【考案が解決しようとする課題】
【０００４】飼い犬の糞便の回収において衛生的に、しかも不快感を軽減した回収装置を提供すること。【０００５】回収した飼い犬の糞便を衛生的に、しかも悪臭などを発生させずに廃棄処分するための装置を提供すること。
【課題を解決するための手段】
【０００６】請求項１に記載した通り、本件考案による犬などの糞便および尿回収装置は、棒状の取っ手部と、この取っ手部と繋げることができ、内部に粘着剤、殺菌剤、消臭剤、芳香剤、乾燥剤、固形剤などを付着あるいは染み込ませた繊維紐、紙紐、紙片、合成樹脂紐などを備えた筒型容器により構成されたことを特徴とするものである。【０００７】そして、請求項２に記載した通り、筒型容器は、犬の糞などの回収後は使い捨てるものであり、つまり使い捨てのカートリッジとなるものであり、棒状の取っ手部と容易に着脱が可能なものとしたことを特徴とするものである。これにより回収した飼い犬の糞便などは、衛生的しかも悪臭などを発生させずに家庭用のゴミなどとともに廃棄処分することを可能にしたものである。【０００８】本件考案は、請求項３に記載した通り、筒型容器は、取っ手部との着装後に取っ手部の押し圧力により容器の蓋が外れるとともに、筒型容器の底部が押し込まれ、容器内部の繊維紐、紙紐、紙片、合成樹脂紐などが容器から押し出され、あたかもモップ型の形状あるいは筒型の形状などとなることを特徴とし、また糞便などをモップ型あるいは筒型などの形状を形成する繊維紐、紙紐、紙片、合成樹脂紐などで覆った後に、取っ手部を引く圧力を加えることにより、筒型容器の底部が引き戻され、筒型容器の内部に回収することを特徴とするものである。これにより簡便に飼い犬などの糞便などを回収することが出来るものとし、しかも容器内に回収後は、外した容器の蓋を再びつけることにより、保管中においても衛生的にし悪臭が漏れることを防止するものとしたことを特徴とするものである。【０００９】本件考案は、請求項４に記載した通り、筒型容器は、飼い犬が小型犬の場合には直径約５ｃｍの筒型とし、中型犬の場合には直径約７−８ｃｍの筒型とし、大型犬の場合には１０−１２ｃｍの筒型とすることにより、簡便かつ確実に糞便を回収することを特徴とするものであり、また筒型容器の底面の形状は、円形、楕円形、台形、長方形などとするものである。【００１０】本件考案は、請求項５に記載した通り、飼い犬の尿についても筒型容器の内部から押し出されたモップ型あるいは筒型などの形状を形成する繊維紐、紙紐、紙片、合成樹脂紐などでふき取ることのできる機構を有することを特徴とする。そしてふき取った後に容器内に引き戻し、糞便などの回収に再度利用することも可能なものとした。
【考案の効果】
【００１１】本件考案の犬などの糞便および尿回収装置は、使い捨ての筒型容器にて回収するものであり、不潔感や不快感を大幅に軽減する効果を有するものである。また廃棄処分においては、家庭用のゴミとして処分することが可能となり、ゴミ回収日までの保管においても、衛生的であり悪臭などを漏らさぬ効果を有するものである。【００１２】使い捨てとなる筒型容器、いわばカートリッジであるが、原材料費も安く製造工程も単純であることから安価に提供できるものである。【００１３】犬などの糞便の処理だけでなく、尿による悪臭を残さずに拭き取ることも容易にした簡便な処理用具である。
【考案を実施するための最良の形態】
【００１４】本件考案による犬などの糞便および尿回収装置の取っ手部については、携帯時においては、持ち運びに便利なように伸縮あるいは折りたたみができるものとする。あるいは、高齢者などによる犬の散歩などにおいては、取っ手部が杖の機能を有するものとしても良い。【００１５】筒型容器については、取っ手部との着脱が容易なものとする。例えば、筒型容器の底部の外側に、＝型とし取っ手部の先端を−型とすることにより回転させ接続させること、あるいは筒型容器の底部外側および取っ手部の先端をともに星型あるいは三角型、四角型とし回転させることにより容易に着脱できるものとする。尚、筒型容器と取っ手部との着脱方法は、これに限定されない。【００１６】筒型容器の上部には蓋を有し、この蓋を外し、取っ手部を筒型容器の内部に押し込むことにより、容器内部の粘着剤、殺菌剤、消臭剤、芳香剤、乾燥剤、固形剤などを付着あるいは染み込ませた繊維紐、紙紐、紙片、合成樹脂紐などが押し出されることとなる。但し、これらの繊維紐、紙紐などは筒型容器の底部内側に接着されているものとし、これによりモップ型あるいは筒型などの形状を形成するとともに、糞便などを覆い、包み込んだ後に、筒型容器に引き戻すことができるものとする。そして引き戻した後には、再び蓋をすることにより衛生的な廃棄処分ができ、また悪臭が漏れることを防止する機能を有するものとする。【００１７】筒型容器の内面、および底面と蓋の内側については、アルミ箔あるいはビニールなど防水機能を有するとともに、悪臭を遮断する素材にてコーティングあるいは覆うものとする。【００１８】筒型容器は、使い捨てられるべきものとする。いわばカートリッジのように取っ手部との着脱が容易であり、しかも犬の糞便などの回収後は家庭用ゴミとして廃棄処分することができるものとする。【００１９】本件考案の特徴は、飼い犬が小型犬の場合には、いわばトイレット・ペーパーの芯のごとき形状の筒型容器とし、飼い犬が大型犬の場合には、大型の筒型容器とするなど提供する筒型容器のサイズを区別することにより、使用者の利便性を高めることができるものである。
【図面の簡単な説明】
【００２０】
【図１】使用前の筒型容器の構造を示した概略図
【図２】使用中の筒型容器の構造を示した概略図
【図３】使用後の筒型容器の構造を示した概略図
【符号の説明】
【００２１】１．筒型容器
２．取っ手部
３．筒型容器の底部
４．筒型容器の蓋部
５．繊維紐、紙紐、紙片、合成樹脂紐など
６．取っ手部と筒型容器の接合部
【図１】
0003136028.tif 000003
【図２】
0003136028.tif 000004
【図３】
0003136028.tif 000005
【手続補正書】
【提出日】平成19年7月2日(2007.7.2)
【手続補正１】
【補正対象書類名】実用新案登録請求の範囲
【補正対象項目名】全文
【補正方法】変更
【補正の内容】
【実用新案登録請求の範囲】
【請求項１】
棒状の取っ手部と、この取っ手部と繋げることができ内部に粘着剤、殺菌剤、消臭剤、芳香剤、乾燥剤、固形剤などを付着あるいは染み込ませた繊維紐、紙紐、紙片、合成樹脂紐などを備えた筒型容器により構成されたことを特徴とする犬などの糞便および尿回収装置
【請求項２】
犬の糞などの回収後は使い捨てとなる筒型容器と棒状の取っ手部とが容易に着脱が可能なものとしたことを特徴とする請求項１に記載の犬などの糞便および尿回収装置
【請求項３】
取っ手部との着装後に取っ手部よりの押し圧力により筒型容器の蓋が外れるとともに、筒型容器の底部が押し込まれ、容器内部の繊維紐、紙紐、紙片、合成樹脂紐などが筒型容器から押し出され、あたかもモップ型あるいは筒型などの形状となることを特徴とし、また糞便などをモップ型あるいは筒型の形状を形成する繊維紐、紙紐、紙片、合成樹脂紐などで覆った後に、取っ手部を引く圧力を加えることにより、筒型容器の底部が引き戻され、筒型容器の内部に回収するものとしたことを特徴とする請求項１に記載の犬などの糞便および尿回収装置
【請求項４】
飼い犬が小型犬の場合には直径約５ｃｍの筒型容器とし、中型犬の場合には直径約７−８ｃｍの筒型容器とし、大型犬の場合には１０−１２ｃｍの筒型容器とすることにより、簡便かつ確実に糞便を回収可能なものとしたことを特徴とする請求項１に記載の犬などの糞および尿回収装置
【請求項５】
飼い犬の尿についても筒型容器の内部から押し出されたモップ型あるいは筒型などの形状を形成する繊維紐、紙紐、紙片、合成樹脂紐などでふき取ることのできる機構を有することを特徴とする請求項１に記載の犬などの糞および尿回収装置。